(57)【要約】【課題】簡素な構造にて薄型化が可能なディジタルカメラを提供する。【解決手段】ディジタルカメラ１は、鏡胴３内に収納されるレンズ群５１，５２、および、レンズ群５１，５２により導かれる光を受光して被写体の画像信号を取得するＣＣＤ４２を有する。ディジタルカメラ１では鏡胴３の沈胴時に、鏡胴３の円筒カムの回動によりＣＣＤ４２およびフォーカスレンズ４４がフォーカスモータ近傍を中心に回動し、レンズ群５１，５２に対向する位置から待避するする。これにより、沈胴後の状態において、ＣＣＤ４２およびフォーカスレンズ４４がレンズ群５１，５２の側方に位置することとなりディジタルカメラ１の薄型化を図ることができる。【選択図】        図３
2004258312.tif 000002
【特許請求の範囲】
【請求項１】
ディジタルカメラであって、
光軸に沿って配置位置が可変である移動レンズ群と、
前記移動レンズ群を収納する鏡胴と、
前記移動レンズ群を経由した光を受光して被写体の画像信号を生成する撮像デバイスと、
前記鏡胴の沈胴時に前記撮像デバイスを前記移動レンズ群の側方に待避させる待避機構と、
を備えることを特徴とするディジタルカメラ。
【請求項２】
請求項１に記載のディジタルカメラであって、
待避後の前記撮像デバイスが前記鏡胴内に位置することを特徴とするディジタルカメラ。
【請求項３】
請求項２に記載のディジタルカメラであって、
前記移動レンズ群を移動させるズームモータを前記鏡胴内にさらに備えることを特徴とするディジタルカメラ。
【請求項４】
請求項１ないし３のいずれかに記載のディジタルカメラであって、
前記移動レンズ群と前記撮像デバイスとの間にフォーカスレンズをさらに備え、
前記待避機構が前記撮像デバイスとともに前記フォーカスレンズを前記移動レンズ群の側方に待避させることを特徴とするディジタルカメラ。
【請求項５】
請求項４に記載のディジタルカメラであって、
前記待避機構が、前記フォーカスレンズを駆動するフォーカスモータ近傍を中心に前記撮像デバイスおよび前記フォーカスレンズを回動することを特徴とするディジタルカメラ。
【請求項６】
請求項１ないし５のいずれかに記載のディジタルカメラであって、
前記待避機構が、
前記鏡胴に対して固定された第１当接部と、
前記撮像デバイスに対して固定された第２当接部と、
を有し、
沈胴時に前記第１当接部が前記第２当接部に当接して前記撮像デバイスが待避することを特徴とするディジタルカメラ。
【請求項７】
請求項１ないし５のいずれかに記載のディジタルカメラであって、
前記待避機構が、
前記鏡胴が有する円筒カムと、
沈胴時の前記円筒カムの回動により前記撮像デバイスを回動させる回動機構と、
を有することを特徴とするディジタルカメラ。
【発明の詳細な説明】
【０００１】
【発明の属する技術分野】
本発明は、沈胴する鏡胴を有するディジタルカメラに関する。
【０００２】
【従来の技術】
近年、ディジタルカメラにおいて高画素化や高ズーム化とともに、薄型化の要求が高まっており、薄型化されたディジタルカメラでは優れた携帯性が得られる。ディジタルカメラを薄型化する手法としては、不使用時（すなわち、パワーオフ時）に移動レンズ群（例えば、第１レンズ群および第２レンズ群により構成される。）を収納する鏡胴を沈胴させるとともに、移動レンズ群やフォーカスレンズ（以下、「レンズユニット」とも呼ぶ。）の各レンズ間、および、レンズユニットとＣＣＤとの間の間隔を減少させて配列させることが従来より実施されている。
【０００３】
なお、非特許文献１では、レンズユニットの一部（第２レンズ群）をＣＣＤの側方に移動させてディジタルカメラの薄型化を図る手法が紹介されている。
【０００４】
【非特許文献１】
Ｐｅｎｔａｘ  Ｏｐｔｉｏ  Ｓ  −  Ｕｌｔｒａ  Ｃｏｍｐａｃｔ、［ｏｎｌｉｎｅ］、平成１５年１月８日、ペンタックス  ユーエスエー（Ｐｅｎｔａｘ  ＵＳＡ）、［平成１５年２月１４日検索］、インターネット＜ＵＲＬ：ｈｔｔｐ：／／ｗｗｗ．ｄｐｒｅｖｉｅｗ．ｃｏｍ／ｎｅｗｓ／０３０１／０３０１０８０１ｐｅｎｔａｘｏｐｔｉｏｓ．ａｓｐ＞
【０００５】
【発明が解決しようとする課題】
ところが、従来の手法ではレンズユニットおよびＣＣＤ自体の厚みによりディジタルカメラの薄型化が制約されることから、更なる薄型化を図ることは困難であった。また、非特許文献１のようにレンズユニットの一部をＣＣＤの側方に移動させることも考えられるが、複雑な移動機構が必要とされるためディジタルカメラの製作コストが増大してしまう。
【０００６】
本発明は上記課題に鑑みなされたものであり、簡素な構造にてディジタルカメラの薄型化を図ることを目的としている。
【０００７】
【課題を解決するための手段】
請求項１に記載の発明は、ディジタルカメラであって、光軸に沿って配置位置が可変である移動レンズ群と、前記移動レンズ群を収納する鏡胴と、前記移動レンズ群を経由した光を受光して被写体の画像信号を生成する撮像デバイスと、前記鏡胴の沈胴時に前記撮像デバイスを前記移動レンズ群の側方に待避させる待避機構とを備える。
【０００８】
請求項２に記載の発明は、請求項１に記載のディジタルカメラであって、待避後の前記撮像デバイスが前記鏡胴内に位置する。
【０００９】
請求項３に記載の発明は、請求項２に記載のディジタルカメラであって、前記移動レンズ群を移動させるズームモータを前記鏡胴内にさらに備える。
【００１０】
請求項４に記載の発明は、請求項１ないし３のいずれかに記載のディジタルカメラであって、前記移動レンズ群と前記撮像デバイスとの間にフォーカスレンズをさらに備え、前記待避機構が前記撮像デバイスとともに前記フォーカスレンズを前記移動レンズ群の側方に待避させる。
【００１１】
請求項５に記載の発明は、請求項４に記載のディジタルカメラであって、前記待避機構が、前記フォーカスレンズを駆動するフォーカスモータ近傍を中心に前記撮像デバイスおよび前記フォーカスレンズを回動する。
【００１２】
請求項６に記載の発明は、請求項１ないし５のいずれかに記載のディジタルカメラであって、前記待避機構が、前記鏡胴に対して固定された第１当接部と、前記撮像デバイスに対して固定された第２当接部とを有し、沈胴時に前記第１当接部が前記第２当接部に当接して前記撮像デバイスが待避する。
【００１３】
請求項７に記載の発明は、請求項１ないし５のいずれかに記載のディジタルカメラであって、前記待避機構が、前記鏡胴が有する円筒カムと、沈胴時の前記円筒カムの回動により前記撮像デバイスを回動させる回動機構とを有する。
【００１４】
【発明の実施の形態】
図１は本発明の第１の実施の形態に係るディジタルカメラ１を示す断面図である。図１のディジタルカメラ１では、被写体側（すなわち、図１中の（−Ｚ）方向）から入射する光が配置位置が可変である複数のレンズ群により撮像デバイス（例えば、２次元に受光素子が配列されたＣＣＤであり、以下、「ＣＣＤ」という。）へと導かれ、被写体の画像が取得される。
【００１５】
ディジタルカメラ１の筐体２内には主面が図１中のＺ方向を向く円板状のベース部材３５が設けられ、ベース部材３５の外周部には被写体側に突出する円筒部３４が形成される。ベース部材３５の被写体側には後述するＣＣＤ支持部に支持されるベースプレート４１が配置され、ベースプレート４１にはＣＣＤ４２が固定されるとともに、ＣＣＤ４２の被写体側においてローパスフィルタ４３が取り付けられる。
【００１６】
また、ディジタルカメラ１は、被写体側から順に第１レンズ群５１および第２レンズ群５２を備え、第１レンズ群５１、第２レンズ群５２およびＣＣＤ４２は所定の光軸Ｊ１に沿って配置される。第２レンズ群５２とＣＣＤ４２との間にはフォーカスレンズ４４が設けられる。第１レンズ群５１に入射した光は、第２レンズ群５２を介してフォーカスレンズ４４へと導かれ、フォーカスレンズ４４からの光はローパスフィルタ４３を介してＣＣＤ４２の撮像面上に導かれて結像される。ＣＣＤ４２では受光した光が電気信号へと変換され、筐体２内に設けられたメモリ（図示省略）に被写体の画像を示す信号が記録される。
【００１７】
ディジタルカメラ１は、さらに、第１レンズ群５１および第２レンズ群５２を収納する鏡胴３を備え、鏡胴３は被写体側から順に配置される同心円筒状の鏡枠３１，３２，３３を有する。鏡枠３１〜３３はＣＣＤ４２側（すなわち、（＋Ｚ）方向）の一部がそれぞれ鏡枠３２，３３および円筒部３４に挿入されることにより、円筒部３４に対して支持される。鏡枠３２，３３および円筒部３４の内周面にはそれぞれ、らせん状に形成された溝３２１，３３１，３４１が設けられる。また、鏡枠３１〜３３の外周面には突起部３１２，３２２，３３２が形成され、突起部３１２，３２２，３３２が溝３２１，３３１，３４１にそれぞれ係合することにより、鏡枠３２，３３および円筒部３４が円筒カムとしての役割を果たす。
【００１８】
鏡枠３１には被写体側の開口を閉塞する閉塞部３６が設けられ、第１レンズ群５１は閉塞部３６により鏡枠３１内に配置されて支持される。鏡枠３２内には第２レンズ群５２を支持するレンズ支持部３７が設けられ、第２レンズ群５２の周囲には第２レンズ群５２の被写体側にて必要に応じて光を遮断するシャッタ５３が取り付けられる。また、レンズ支持部３７の光軸Ｊ１とは反対側にはＣＣＤ４２側に開口する凹部３７１が設けられる。凹部３７１の外側には鏡枠３２の内周面に対向する突起部３７２が形成され、突起部３７２は鏡枠３２の溝３２１に係合される。
【００１９】
図２は、ディジタルカメラ１を（−Ｚ）側から（＋Ｚ）方向を向いて見たときの様子を示す図であり、図１の円筒部３４から内側のみを示している。また、図２では、図１に示す閉塞部３６、レンズ支持部３７およびシャッタ５３を省略してベース部材３５上の様子を示しており、レンズ群５１，５２を二点鎖線にて図示している。
【００２０】
図２に示すように、ベース部材３５上には円柱状の回動部材４５が設けられ、ベース部材３５に対してＺ軸に平行な回動部材４５の中心軸を中心に回動可能に支持される。回動部材４５の外周面の一部にはギヤ４５１が形成され、被写体側（すなわち、（−Ｚ）方向）の面上にはフォーカスモータ４６が取り付けられる。フォーカスモータ４６には、ねじやガイドレール等を有する送り機構（図示省略）を介してフォーカスレンズ４４が接続されており、フォーカスモータ４６が回転することにより、フォーカスレンズ４４が光軸Ｊ１に沿って移動する（図１参照）。また、回動部材４５にはベースプレート４１に接続されたＣＣＤ支持部４７が固定され、回動部材４５が回動することによりベースプレート４１、ＣＣＤ４２、ローパスフィルタ４３、フォーカスモータ４６およびフォーカスレンズ４４（以下、「撮像ユニット」と総称する。）が一体となって回動部材４５を中心に回動する。
【００２１】
ベース部材３５上には、さらに、ズーム用減速ギヤ３８１が接続されたズームモータ３８が設けられ、ズーム用減速ギヤ３８１は鏡枠３２，３３の内周面に形成されたギヤ（図示省略）に係合される。ズームモータ３８が回転すると、鏡枠３２，３３がそれぞれズーム用減速ギヤ３８１との間の関係に応じて回転し、鏡枠３１〜３３およびレンズ支持部３７とともに、レンズ群５１，５２がＺ方向に移動する（図１参照）。また、鏡枠３３の内周面には、後述する鏡胴３の沈胴時に、回動部材４５のギヤ４５１に係合するギヤ３３３が設けられる。
【００２２】
ディジタルカメラ１では、ＣＣＤ４２、シャッタ５３、ズームモータ３８およびフォーカスモータ４６が図示省略の制御部に接続されており、操作者の操作に従ってディジタルカメラ１の各構成が制御される。例えば、操作者によりズーム操作が行われた場合には、ズームモータ３８が制御されてレンズ群５１，５２が光軸Ｊ１に沿って移動し、ディジタルカメラ１における変倍が行われる。また、レンズ群５１，５２の移動後の配置に応じてフォーカスモータ４６が制御され、フォーカスレンズ４４が移動する。これにより、レンズ群５１，５２を経由した光がフォーカスレンズ４４を介してＣＣＤ４２の撮像面上に適切に導かれ、変倍した被写体の画像が取得される。
【００２３】
ディジタルカメラ１では、撮像が終了すると操作者の操作により鏡胴３が沈胴する。具体的には、フォーカスモータ４６およびズームモータ３８の回転駆動がそれぞれ制御され、図１に示すフォーカスレンズ４４がＣＣＤ４２側に移動するとともに、鏡枠３１〜３３およびレンズ支持部３７がベース部材３５側に漸次近接する。このとき、鏡胴３の有する円筒カムの溝（すなわち、鏡枠３２，３３および円筒部３４の溝３２１，３３１，３４１）の形状により、閉塞部３６がレンズ支持部３７に近接した後に閉塞部３６およびレンズ支持部３７がおよそ一体となってベース部材３５側に移動する。
【００２４】
図３は撮像ユニットが回動する様子を説明するための図である。ディジタルカメラ１では、鏡枠３３がベース部材３５に対して所定の距離まで近づくと、鏡枠３３のギヤ３３３と回動部材４５のギヤ４５１とが当接して係合し、鏡枠３３の回動動作に応じて回動部材４５が回動する。これにより、撮像ユニットが回動部材４５を中心として回動し、ＣＣＤ４２およびフォーカスレンズ４４が光軸Ｊ１から次第に離され、図３に示すように、レンズ群５１，５２に対向する位置から待避した状態とされる。そして、ギヤ３３３とギヤ４５１とが離反して回動部材４５の回動が停止する。鏡枠３１〜３３およびレンズ支持部３７が円筒部３４内までさらに移動すると（図１参照）、ズームモータ３８の回転が停止され、鏡枠３２，３３の回動が停止され、沈胴動作が終了する。
【００２５】
図４は沈胴後のディジタルカメラ１を示す断面図である。図４に示すように、沈胴後のＣＣＤ４２およびフォーカスレンズ４４はレンズ支持部３７の凹部３７１に対向する位置に配置されて凹部３７１内に収納される。また、レンズ群５１，５２はベース部材３５の近傍まで近接する。これにより、ディジタルカメラ１では、ＣＣＤ４２およびフォーカスレンズ４４がレンズ群５１，５２の側方に位置した状態で鏡胴３が筐体２内に収納される。
【００２６】
以上のように、図１のディジタルカメラ１では、鏡胴３の沈胴時に鏡枠３３および回動部材４５により構成される回動機構によりＣＣＤ４２およびフォーカスレンズ４４がレンズ群５１，５２の側方に待避される。一般的に、ディジタルカメラでは、フォーカスレンズ４４やローパスフィルタ４３等の部材が撮像デバイスの被写体側近傍に設けられるため、沈胴時の撮像デバイス近傍にはこれらの部材を収納する比較的大きな空隙が必要とされる。しかしながら、図１のディジタルカメラ１では、鏡胴３の沈胴時にＣＣＤ４２、ローパスフィルタ４３およびフォーカスレンズ４４がレンズ群５１，５２の側方に待避し、レンズ群５１，５２と直列に配列されることがないため、ディジタルカメラ１の厚みを容易に薄くすることができる。
【００２７】
また、ＣＣＤ４２およびフォーカスレンズ４４は、鏡胴３の有する円筒カムの回動によりフォーカスモータ４６近傍を中心として回動し、回動後（すなわち、沈胴後）の位置も鏡胴３内とされるとともに、レンズ群５１，５２を移動させるズームモータ３８も鏡胴３内に配置されるため、ディジタルカメラ１の鏡胴３内の空間を有効に利用しつつ簡素な構造にすることができ、低い製造コストにてディジタルカメラ１の薄型化を図ることが可能となる。
【００２８】
図５は、ディジタルカメラ１の他の例を示す図であり、前述のディジタルカメラ１の図２または図３に対応する図である。図５のディジタルカメラ１では図１ないし図４に示すディジタルカメラ１に比較して、回動部材４５の外周面の一部に断面が扇形状の補助部材４５２が設けられるとともに、閉塞部３６にはＣＣＤ４２側に突出する補助ピン３６１が形成され（図１参照）、鏡枠３３のギヤ３３３および回動部材４５のギヤ４５１は省略される。他の構成は同様であり同符号を付している。
【００２９】
図６は、補助部材４５２の形状を説明するための図である。図６に示すように、補助部材４５２は被写体側の面（すなわち、図６中の（−Ｚ）方向を向く面）が傾斜面４５２ａとされており、補助ピン３６１は傾斜面４５２ａに対向する位置に配置される。
【００３０】
図５のディジタルカメラ１では、鏡胴３の沈胴時に補助ピン３６１の先端が補助部材４５２の傾斜面４５２ａに当接する。具体的には、図１のディジタルカメラ１と同様に、閉塞部３６がレンズ支持部３７に近接した後に閉塞部３６およびレンズ支持部３７がおよそ一体となってベース部材３５に近づくように各溝３２１，３３１，３４１が形成されており、閉塞部３６がベース部材３５に対して所定の距離まで近接すると補助ピン３６１の先端が傾斜面４５２ａに当接する。
【００３１】
閉塞部３６がベース部材３５に対してさらに近接すると補助ピン３６１により補助部材４５２に対する回転力が生じ、回動部材４５とともに撮像ユニットが回動する。このとき、傾斜面４５２ａには潤滑グリース等が塗布されており回動部材４５は滑らかに回動する。そして、鏡枠３１〜３３およびレンズ支持部３７が円筒部３４内に収納されて移動が停止すると、回動部材４５の回動が停止し、図４に示すディジタルカメラ１と同様に、沈胴後のＣＣＤ４２およびフォーカスレンズ４４がレンズ群５１，５２に対向する位置から待避した状態とされる。
【００３２】
以上のように、図５のディジタルカメラ１では、鏡胴３に対して固定された補助ピン３６１とＣＣＤ４２に対して固定された補助部材４５２とにより構成される待避機構により、鏡胴３の沈胴時にＣＣＤ４２およびフォーカスレンズ４４がフォーカスモータ４６近傍を中心として回動する。その結果、ＣＣＤ４２およびフォーカスレンズ４４をレンズ群５１，５２の側方に容易に待避させることができ、ディジタルカメラ１の薄型化を図ることができる。
【００３３】
図７は本発明の第２の実施の形態に係るディジタルカメラ１ａを示す断面図であり、図８は図７中のベース部材３５上を（−Ｚ）側から（＋Ｚ）方向を向いて見たときの様子を示す図である。
【００３４】
ディジタルカメラ１ａでは、図７および図８に示すように、Ｘ軸方向に伸びる回動軸４９がベース部材３５の被写体側とは反対側（すなわち、（＋Ｚ）方向）にて筐体２に支持されて設けられる。ベースプレート４１はＣＣＤ支持部４７ａにより支持されており、ＣＣＤ支持部４７ａには、さらに、フォーカスモータ４６およびフォーカスレンズ４４並びにフォーカスレンズ４４の送り機構が図示省略の支持板を介して固定される。ＣＣＤ支持部４７ａは回動軸４９により回動軸４９を中心に回動可能に支持され、ＣＣＤ支持部４７ａの端部には（−Ｘ）方向に突出する板状の補助部材４５３が設けられる。
【００３５】
図７に示すように、ＣＣＤ４２にはシート状の可橈性を有するプリント回路基板（Ｆｌｅｘｉｂｌｅ  Ｐｒｉｎｔｅｄ  Ｃｉｒｃｕｉｔ、以下、「ＦＰＣ」という。）４２１が接続され、これにより、ＣＣＤ４２がディジタルカメラ１ａの他の構成と電気的に接続される。また、閉塞部３６にはＣＣＤ４２側に突出する補助ピン３６１が設けられる。ディジタルカメラ１ａの他の構成は、第１の実施の形態に係るディジタルカメラ１と同様であり、同符号を付している。
【００３６】
ディジタルカメラ１ａにおいて、鏡胴３の沈胴時には、図５および図６に示すディジタルカメラ１と同様に閉塞部３６の移動により補助ピン３６１が補助部材４５３に当接し、ＣＣＤ支持部４７ａが回動軸４９を中心に回動する。これにより、図９および図１０に示すように撮像ユニットが回動軸４９を中心として回動し、ＣＣＤ４２およびフォーカスレンズ４４が（−Ｙ）方向を向く状態とされる。そして、鏡胴３が円筒部３４内に収納されるとともに、ＣＣＤ４２およびフォーカスレンズ４４がレンズ支持部３７の凹部３７１内に収納される。このとき、ＣＣＤ４２に接続されたＦＰＣ４２１は適切に撓むことにより撮像ユニットは滑らかに回動することができる。
【００３７】
以上のように、第２の実施の形態に係るディジタルカメラ１ａでは、ＣＣＤ４２およびフォーカスレンズ４４を回動する回動軸４９が設けられ、沈胴時に鏡胴３に固定された補助ピン３６１がＣＣＤ４２およびフォーカスレンズ４４に固定された補助部材４５３に当接することによりＣＣＤ４２およびフォーカスレンズ４４が回動軸４９を中心に回動する。その結果、ディジタルカメラ１ａではＣＣＤ４２およびフォーカスレンズ４４がレンズ群５１，５２の側方に待避され、簡素な構造にて容易にディジタルカメラ１ａの薄型化を図ることができる。
【００３８】
以上、本発明の実施の形態について説明してきたが、本発明は上記実施の形態に限定されるものではなく、様々な変形が可能である。
【００３９】
上記第１の実施の形態において、沈胴時にＣＣＤ４２およびフォーカスレンズ４４は必ずしもフォーカスモータ４６近傍を中心に回動する必要はないが、ディジタルカメラ１ではフォーカスモータ４６近傍を中心に回動させることにより、構造を簡素化することができ好ましい。
【００４０】
また、上記実施の形態では補助ピン３６１は閉塞部３６に設けられるが、補助ピン３６１は、例えば、レンズ支持部３７に設けられてもよい。
【００４１】
鏡胴は、必ずしも３つの鏡枠により構成される必要はなく、また、レンズ群の構成も上記実施の形態に限定されない。すなわち、鏡胴およびレンズ群は、必要に応じて適宜変更されてよい。
【００４２】
ズームモータ３８や待避後のＣＣＤ４２およびフォーカスレンズ４４は、鏡胴３外に位置させてもよいが、鏡胴３内に位置させることによりディジタルカメラを容易に設計することができ好ましい。
【００４３】
【発明の効果】
請求項１ないし７の発明では、ディジタルカメラを容易に薄型化することができる。
【００４４】
また、請求項２、３および５ないし７の発明では、ディジタルカメラの構造を簡素化することができる。
【００４５】
また、請求項４の発明では、フォーカスレンズを有するディジタルカメラを薄型化することができる。
【図面の簡単な説明】
【図１】第１の実施の形態に係るディジタルカメラを示す断面図である。
【図２】ベース部材上を示す図である。
【図３】撮像ユニットが回動する様子を説明するための図である。
【図４】鏡胴の沈胴後のディジタルカメラを示す断面図である。
【図５】ベース部材上の他の例を示す図である。
【図６】補助部材の形状を説明するための斜視図である。
【図７】第２の実施の形態に係るディジタルカメラを示す断面図である。
【図８】ベース部材上を示す図である。
【図９】鏡胴の沈胴後のディジタルカメラを示す断面図である。
【図１０】鏡胴の沈胴後のベース部材上を示す図である。
【符号の説明】
１，１ａ  ディジタルカメラ
３  鏡胴
３１，３２，３３  鏡枠
３８  ズームモータ
４２  ＣＣＤ
４４  フォーカスレンズ
４５  回動部材
４６  フォーカスモータ
４９  回動軸
５１，５２  レンズ群
３１２，３２２，３３２，３７２  突起部
３２１，３３１，３４１  溝
３３３，４５１  ギヤ
３６１  補助ピン
４５２，４５３  補助部材
Ｊ１  光軸
【図１】
2004258312.tif 000003
【図２】
2004258312.tif 000004
【図３】
2004258312.tif 000005
【図４】
2004258312.tif 000006
【図５】
2004258312.tif 000007
【図６】
2004258312.tif 000008
【図７】
2004258312.tif 000009
【図８】
2004258312.tif 000010
【図９】
2004258312.tif 000011
【図１０】
2004258312.tif 000012